Podtech/llm-jp-corpus-v4-ja_patent huggingface dataset:
(57)【要約】【課題】世界中で医療防塵保温保湿など多目的に数多くのマスクが使用されている。従来マスクを顔に装着した時マスクと鼻横及びこれに続く顔面との隙間を塞ぐ方法として非弾性素材の帯状板をマスク上部に封入し顔面に押し当てその形状に添わせる方法が最も安価で実用的に普及している。しかしその形状に隙間無く添わせることは非常に困難で十分ではなかった。またその部分にクッション材を取り付ける方法もあるが大幅に製作費が増すと共に製品の厚みの増加による流通コストも増し高価な製品となっていた。【解決の手段】マスクの上方にマスク地を所用の長さ伸長し内側に曲げて装着する。【選択図】図３
2017150119.tif 000002
【特許請求の範囲】
【請求項１】
マスク上端を上方に所要の長さ延長したこと特徴とするマスク
【発明の詳細な説明】
【技術分野】
【０００１】本考案は鼻横及びこれに続く顔面との隙間を塞ぐ機能の大幅向上を簡単に低価格で実現するマスクに関するものである。
【背景技術】
【０００２】従来マスクを顔に装着した時鼻横及びこれに続く顔面との隙間を塞ぐ方法として非弾性帯状板をマスク上部に封入し顔面に押し当てその形状に添わせて隙間を小さする方法が一般的であった。この方法は鼻の高さや顔の形状に関係なくその隙間を一定以下に小さく出来る点で有効であった。しかし全体に渡って形状に十分に添わせる事は非常に困難であった。その為空気が漏れてしまっていた。クッション材をその部分に設ける方法もあるがその製造価格増に加え体積増による流通経費も増し高価格となっていた。
【発明の開示】
【発明が解決しようとする課題】
【０００３】非弾性帯状板を上部に封入したマスクを顔に装着した時鼻横面及びこれに続く顔面との隙間を塞ぐ簡単で効率的で安価な方法を提示する事。
【課題を解決する為の手段】
【０００４】非弾性帯状板３を上部に封入したマスクの上端を所要分上方に伸張し伸張部４を設ける事
【発明の効果】
【０００５】伸張部４をマスクの非弾性帯状板３部分と鼻横面及びこれに続く顔面との間に挟むように内側に曲げてマスクを装着する。装着前本体と平面状にあった伸張部４を内側に曲げた時伸張部４には復元力が生ずる。これにより非弾性帯状板３部分を顔の形状に添わせる行為を施せば小さな隙間と相俟って必然的に伸張部４は顔面に密着する。全体の素材あるいはこの部分の素材を適切に選定改良することにより更なる密着度の向上が期待出来る。
【０００６】非弾性帯状板３を封入した部分を所用分上方に拡張し拡張部５を設ける。その分縦に長いマスクとなる。非弾性帯状板３を封入した部分を前側へ折り曲げ顔面との間に拡張部５を挟み装着する。この状態で非帯状板３部分を顔の形状に添わせる行為を施せば同様に拡張部５は顔面に密着する。この発明は前述の発明と同じ原理であり本発明の範囲内である。
【０００７】非弾性帯状板３と同等の機能を有する他の仕様の場合も本発明の範囲内である。
【０００８】伸張部４を内側に曲げて装着する時隣り合う伸張部４の部分と非弾性帯状板３の部分の曲率半径に留意して伸張部４の復元力が有効に働く工夫が密着度をより向上させる。
柔軟な布地の採用や伸張部４を中央部で左右に分離する等の工夫も例である。
【実施例１】
【０００９】非弾性帯状板３を上部に封入したマスクの上端を所要の長さだけ伸長し伸長部４を設けたものである。
【実施例２】
【００１０】非弾性帯状板３を封入した部分をマスクの上方に所用の長さ移動し拡張部５を確保したものである。
【図面の簡単な説明】
【００１１】
【図１】従来の代表的なマスクの例である。
【図２】〔図１〕の断面拡大図である。
【図３】実施例１の平面図である。
【図４】実施例１の断面拡大図である
【図５】実施例２の平面図である。
【図６】実施例２の断面拡大図である
【符号の説明】
【００１２】１．  マスク
２．  耳かけゴム紐
３．  非弾性帯状板
４．  伸張部
５．  拡張部
【図１】
2017150119.tif 000003
【図２】
2017150119.tif 000004
【図３】
2017150119.tif 000005
【図４】
2017150119.tif 000006
【図５】
2017150119.tif 000007
【図６】
2017150119.tif 000008
(57)【要約】      （修正有）【課題】成長してサイズが合わなくなり、着れなくなってしまった場合や、デザインに飽きが来てしまった場合に、別のプロダクトとして再使用できる衣服を提供する。【解決手段】衣服にあらかじめ、ぬいぐるみや子供服などの型紙をプリントすることで、切り取り縫い合わせれば簡単にリメイクし別のプロダクトとして再使用することができ、たとえば、シャツ１にテディベアの型紙２をプリントしたり、シャツにバッグの型紙をプリントしたり、シャツに子供服の型紙をプリントした衣服。【選択図】図１
2017150118.tif 000002
【特許請求の範囲】
【請求項１】
リメイクして別のプロダクトとして再使用することを前提として、あらかじめ型紙をプリントした衣服。
【請求項２】
前記衣服は、シャツにテディベアの型紙をプリントしたことを特徴とする請求項１記載の衣服。
【請求項３】
シャツにバッグの型紙をプリントしたことを特徴とする請求項１記載の衣服。
【請求項４】
シャツに子供服の型紙をプリントしたことを特徴とする請求項１記載の衣服。
【発明の詳細な説明】
【技術分野】
【０００１】  この発明は、衣服製造のプリントに関する。
【背景技術】
【０００２】従来の衣服のプリントは、基本的に表面の見た目に変化を加えるために施されたものである。
【発明の概要】
【発明が解決しようとする課題】
【０００３】  しかしながら、以上の技術によれば、体が成長しその衣服を着ることができなくなった場合、廃棄するしかなかった。
【課題を解決するための手段】
【０００４】    以上の課題を解決するために、第一発明は、シャツにぬいぐるみの型紙をプリントしたことを特徴とする衣服である。
また、第二発明は、シャツにバッグの型紙をプリントしたことを特徴とする衣服である。
【発明の効果】
【０００５】  第一発明、または第二発明によれば、シャツに型紙をプリントしたことで、切り取り縫い合わせれば、別のプロダクトとして使用することができ、廃棄するしかなかった衣服を簡単に別のプロダクトとして再利用できる。
【図面の簡単な説明】
【０００６】
【図１】この発明の一実施形態を示す正面図である
【図２】この発明の一実施形態を切り取り縫い合わせたものの正面図である。
【発明を実施するための形態】
【０００７】  この発明の一実施形態を、図１に示す。
シャツの本体１は布製であり、この本体１の片面には、型紙２がプリントされている。この発明の一実施形態を切り取り縫い合わせたものを、図２に示す。
【０００８】「実施形態の効果」
この実施形態によれば、プリントされた型紙を切り取り縫い合わせることで、別プロダクトとして再利用できる。したがって廃棄しなくて済む。
「他の実施形態」
図１の実施形態では、プリントされた型紙はテディベアであったが、他の実施形態では、バッグや子供服の型紙がプリントされたものでも良い。
【符号の説明】
【０００９】１  シャツ本体          ２型紙（プリント）
３  型紙を縫い合わせたもの
【図１】
2017150118.tif 000003
【図２】
2017150118.tif 000004
(57)【要約】【課題】  非常脱出用縄梯子は  （イ）使用状態にするのに時間を要しする。  （ロ）訓練をしていない人には、使用出来ない。  （ハ）力が必要で非力な子女や体力のない人には設置できない。  （ニ）固定されず、ふらつき、屈曲するので訓練をしないと使用できない。  （ホ）窓、ベランダよりの乗り移りが難しい。  非常脱出用固定梯子は  （イ）防犯上の問題がある。  （ロ）幼児、児童の遊具とされ事故の危険がある。  （ハ）階で繋ぐと、防犯上問題がある。【解決手段】  可動踏み桟（３）を設け、解決した。非常時は、踏み桟（３）の開放だけで、使用可能にした。可動踏み桟（３）を展開し［図１］、固定梯子と同等の性能とした。  通常は、可動踏み桟を上部に引き上げ［図２］下部を支柱だけにし、昇降できなくした。  支柱（１）を設け、完全な固定梯子とし、揺れを防止した。  ロープ（５）を開放し、瞬時に格納状態［図１］より使用状態［図２］に展開する。【特許請求の範囲】
【請求項１】
支柱を有し、可動踏み桟（３）を上下に移動させ、梯子又は階段として使用できるもの
【発明の詳細な説明】
【技術分野】
【０００１】  本発明は火災等非常時の脱出用梯子で、非常時に瞬時に使用状態できるようにしたものである。
【背景技術】
【０００２】  従来、非常用脱出梯子は、縄梯子、または固定された梯子があったがいずれも重大な欠点があった。
【発明概要】
【発明が解決しようとする課題】
【０００３】  従来の非常脱出用縄梯子は、繰り返し訓練した者ではない限り使用不能に近く、子女や体力の衰えた者には使用できないと言っても過言ではなく、単なる飾りに過ぎなかった。風で揺れたり、屈曲したりするため、下段に足を移すのが非常に難しく、足を踏み外し転落の危険があった。また、窓やベランダから乗り移るとき、取手がなく、手足を滑らせ転落する危険が特に大きかった。
非常脱出固定梯子はベランダ等から取り付けた場合、プライバシー問題と共に防犯上の問題、児童の遊具となり、転落等の事故のおそれがあった。
本発明はこれらをまとめて解決する為に発明されたものである。
【課題を解決するための手段】
【０００４】  支柱（１）を有し、固定踏み桟（２）により可動踏み桟（３）を互いにチェーン又はロープ（７）にて連結し、使用時には［図１］のように展開する。
【０００５】  非使用時にはロープ（５）を引き可動踏み桟（３）を固定踏み桟（２）まで引き上げ固定する［図３］為、支柱（１）のみの下部となり、児童の遊びによる危険、及び犯罪を防止する。
【発明の効果】
【０００６】  本発明は既存の二階建て、多層階建て等のベランダや窓に、取付治具（８）を用いて簡単に短時間で安価に取り付けができる。
【０００７】  非常時に迅速な脱出を容易にし、焼死事故、中毒事故、転落事故、飛び降り事故の撲滅を図ると共に児童事故、犯罪防止を目的として発明した。
【図面の簡単な説明】
【０００８】
【図１】本発明の使用状態に展開した正面図
【図２】本発明の可動踏み桟（３）引き上げ格納した正面図
【図３】本発明の可動踏み桟平面図
【図４】本発明の踏み桟背かご付き平面図
【図５】本発明の非常時脱出用梯子取付治具（８）を用いて建屋（１）、ベランダ（１０）に取り付け、格納した側面図［図２］
【図６】本発明は非常時脱出用橋子取付治具（８）を用いて建屋（１）、ベランダ（１０）に取り付け、使用状態に展開した側面図［図１］
【発明を実施するための形態】
【０００９】  以下本発明の実施の形態を説明する。
（イ）支柱（１）に固定踏み桟（２）を固定し、可動踏み桟（３）支柱用穴（７）に支柱（１）を通し、固定踏み桟（２）とチェーン又はロープ（６）を用いて可動踏み桟（３）を繋ぎ、可動踏み桟（３）ロープ（５）にて上下させて使用する。
【００１０】  非常時は、ロープ（５）を開放し可動踏み桟（３）を下降させ［図１］、梯子にして使用する。
【００１１】  通常時は、ロープ（５）を引き上げ可動踏み桟（３）を上部に固定［図２］しておく。
【符号の説明】
【００１２】  １  支柱
２  固定踏み桟
３  可動踏み桟
４  滑車
５  ロープ
６  チェーン
７  支柱用穴
８  取付治具
９  梯子固定治具
１０  ベランダ
１１  建屋
【図１】
2017150291.tif 000002
【図２】
2017150291.tif 000003
【図３】
2017150291.tif 000004
【図４】
2017150291.tif 000005
【図５】
2017150291.tif 000006
【図６】
2017150291.tif 000007
(57)【要約】      （修正有）【課題】ヘッドホーンコードの絡みを防止する方法を提供する。【解決手段】プラグ固定ホルダーに、クリップを設ける。このクリップでヘッドホーンコード先端（スピーカー側）を挟み込むことによって、ヘッドホーンコードを円状にする。【選択図】図５
2017005669.tif 000002
【特許請求の範囲】
【請求項１】
コードの絡み防止でコードの端をなくし、円状にする。
【発明の詳細な説明】
【技術の分野】
【０００１】  この発明は、ヘッドホーンコード絡み防止器具である。
【背景技術】
【０００２】  今までのヘッドホーンコード絡み防止器具は、絡みを最小限にするのを目的にしていた。
【先行技術文献】
【特許文献】
【０００３】
【特許文献１】  特開００００−００００００号公報
【発明の概要】
【発明が解決しようとする課題】
【０００４】  今までのヘッドホーンコード絡み防止器具は、次のような欠点があった。
コードの絡みが起きる確率を最小限にしようとしていたため、完全に絡み防止ができない。
【課題を解決するための手段】
【０００５】  ヘッドホーンコードの絡みは、コードの先端（スピーカー側）、後端（プラグ側）が、コードなどに接触して巻きつく現象である。
絡みを起きないようにするためには、絡む要因をなくすためコードの端を連結して、コードを円状にして、コードの端をなくす。
【発明の効果】
【０００６】  ヘッドホーンコードの絡みが起きない。
【図面の簡単な説明】
【０００７】
【図１−５】  １  プラグ固定ホルダー側面、２  プラグ固定ホルダー上部、３  プラグ固定ホルダー前、４  プラグ固定ホルダー後、５  コードを円状にする。
【発明を実施するための形態】
【０００８】  以下、本発明を実施するための形態について説明する。
ヘッドホーンコードを円状にするには、コードの先端（スピーカー側）、後端（プラグ側）を連結するため、コード後端（プラグ側）にプラグ固定ホルダーを設ける（図面１参照）。
プラグ固定ホルダーにコード先端（．スピーカー側）を挟み込めるクリップを設ける。
クリップは、３６０度回転できるようにすれば、ヘッドホーンコードは、円状になる（図面２、５参照）。
【０００９】  なし
【図１】
2017005669.tif 000003
【図２】
2017005669.tif 000004
【図３】
2017005669.tif 000005
【図４】
2017005669.tif 000006
【図５】
2017005669.tif 000007
【手続補正書】
【提出日】平成27年7月19日(2015.7.19)
【手続補正１】
【補正対象書類名】明細書
【補正対象項目名】０００７
【補正方法】変更
【補正の内容】
【０００７】
【図１】プラグ固定ホルダー側面図
【図２】プラグ固定ホルダー上面図
【図３】プラグ固定ホルダー前面図
【図４】プラグ固定ホルダー後面図
【図５】コードを円状にした図
(57)【要約】      （修正有）【課題】燃料を不要にする。【解決手段】自動車をバッテリーで運転しバッテリーが半分位迄減るとバッテリーで運転する発電機を運転し充電する。バッテリーが満タンに成ると発電機を止める。【選択図】なし【特許請求の範囲】
【請求項１】
発電機による充電方式
【発明の詳細な説明】
(57)【要約】      （修正有）【課題】燃料を不要にする。【解決手段】発電機をバッテリーで運転し、自分で発電した電気に切替て発電気を運転する様にする。【選択図】なし【特許請求の範囲】
電気力にする
【発明の詳細な説明】
発電機をバッテリーで運転し、自分で発電した電気に切替て発電気を運転する様にする。
インバーターで出力増減する様にすれば良い。
尚バッテリーは停止した時の為に充電しておく
(57)【要約】      （修正有）【課題】省エネで効率よく回転が出来るモータを提供する。【解決手段】固定子ヨーク１をつなぎ目の無いリング状にしてその上部に電磁コイルを巻く。電磁コイルを固定子ヨーク１に固定することによって放熱する。ヨークの内部に穴を空けて冷却物質を循環させて放熱冷却しモータ回転時のコイル２の熱を減少させることを特徴とする。固定子ヨーク１のコアコイルを被膜で絶縁した鉄線または鉄板をコイル状にすることにより抵抗を大きくしジュール熱を減少させることを特徴とする。【選択図】図３
2017005806.tif 000002
【特許請求の範囲】
【請求項１】
回転軸を中心にリング状にコイル状の固定子ヨークを切れ目なく配列し、電磁コイルは偶数個を固定子ヨークに巻く。
円盤形状に磁石をN極S極を偶数個で同数交互に同極の位置で配置した電磁鋼板の回転子が
固定子ヨークを挟み込むように設置したことによりゴギングによる回転ブレーキを減少させるモータ。
【請求項２】
請求項１に記載のモータにおいて、丸または角状の鉄線を被膜で絶縁し巻いたものを固定子ヨークとて使用。
絶縁することにより電気抵抗が大きくなりジュール熱の発生を無くしたモータ。
【請求項３】
請求項１または２に記載のモータにおいて、固定子ヨーク内部に穴を空けて
冷却物質を循環させることにより固定子ヨークの熱を無くしたモータ。
【請求項４】
請求項１乃至３に記載のモータにおいて、固定子ヨークに巻いた電磁コイルと回転子の磁石の個数を変えることによって
単相または三相にて使用できるモータ。
【発明の詳細な説明】
【技術分野】
【０００１】
本発明は、高効率の省エネ型モータに関するものである。
【背景技術】
【０００２】
現在のモータは直流モータと交流モータがある。
上記モータはコイルに電流を流しコイルに磁気を発生させ、
磁気ローターに設置した磁石とこのコイルが吸引と反発を繰り返すことで
ローターが回転する装置である。
【発明の概要】
【発明が解決しようとする課題】
【０００３】
現在のモータは使用電力に対して効率の悪いものとなっている。
モータ回転の際にモータの内部で磁石と固定子ヨーク間にゴギングトルクが発生して回転抵抗となる。
この抵抗によりモータ回転効率は悪くなる。
【０００４】
モータ回転時には電磁コイルに熱が発生する。
【０００５】
モータ回転の際にモータの内部で固定子ヨークにジュール熱が発生する。
この熱がモータ回転の効率を悪くしている。
【課題を解決するための手段】
【０００６】
第1の発明はモータ回転時の回転をスムーズにするものである。
固定子ヨークをつなぎ目の無いリング状にして電磁コイルを間隔を置いて複数個巻く。
固定ヨークにつなぎ目がないためモータ回転時の回転子のＮ極Ｓ極の吸着と離脱がなくなる。
これによりモーター回転時のゴギングトルクをなくすことを特徴とする。
【０００７】
第2の発明はモータ回転時の電磁コイルの熱を減少させるものである。
電磁コイルを固定子ヨークに固定することによって放熱する。
固定子ヨークの内部に穴を空けて冷却物質を循環させて放熱冷却することを特徴とする。
【０００８】
第3の発明はモータ回転時に固定子ヨークに磁石Ｓ極Ｎ極が交互に通過する際に
固定子ヨークに発生する熱を減少させるものである。
固定子ヨークのコアコイルを被膜で絶縁した鉄線または鉄板をコイル状に
することにより抵抗を大きくしジュール熱を減少させることを特徴とする。
【発明の効果】
【０００９】
本発明によればモータ回転時に於いて、電磁コイルを冷却する事が出来き、
モータ回転時のゴギングトルクが発生せず、ジュール熱が低減することにより効率よくモータ回転できるようになる。
【図面の簡単な説明】
【００１０】
【図１】本発明の実形態におけるモータの断面図である。
【図２】固定子ヨークに電磁コイルを装着、電磁鋼板に磁石を装着した立体図である。
【図３】電磁コイル部、電磁鋼板に磁石を取り付けた立体図である。
【図４】固定子ヨークとコイル、磁石を装着した回転子の配列と動作説明の図面である。
【図５】鉄線または鉄板をコイル状に巻き固定子ヨークのコアとして使用した図面である。
【図６】図５のA-A部の断面図である。
【発明を実施するための形態】
【００１１】
以下、本発明の実施形態に係るモータ装置について説明する。
【００１２】
図１は磁石を電磁鋼板に組み付けたローターをベアリングを装着して回転軸に組み付ける。
固定子ヨークを支柱に固定した断面図である。
【００１３】
図２は固定子ヨークにコイルを設置また電磁鋼板に磁石を設置した立体図である。
コイルは偶数個とする。
【００１４】
図３は図２の固定子ヨークと磁石の関係を立体図としたものである。
電磁鋼板に組み付けた磁石は前後同じ極性をもったものを対面上に取り付ける。
磁石は極性Ｎと極性Ｓを偶数個交互に設置する。コイルの個数と磁石の個数は同数とする。
【００１５】
円盤状の電磁鋼板に磁石をN極S極交互に取り付けた関係と動作を示した平面図である。
電磁鋼板に装着した磁石をN極S極を交互に配置する。
上記固定子ヨークと磁石は偶数個のセットとする。
モータ内部動作時のコイルと磁石の関係は以下の通りとなる。
電磁コイル37の13に+電極を与える14にマイナス電極を与える
13にＮ極の磁気が発生、14にＳ極の磁気が発生することで磁石29は
13から14の位置に移動。
電磁コイル38、39、40、41、42、43、44も同様な現象が起きる。
Ｎ極磁石29は14部で発生したＳ極に吸引される。
電磁コイル37に反対の電圧を加える、発生したＮ極の反発により14部から離脱する。
上記現象により磁石29は位置13から位置28まで移動する。
これを繰り返すことにより回転子5は回転をする。  
上記は単相交流モータでの動作となる。
コイルと磁石の個数を変更することで三相交流モータとして動作可能となる。
【００１６】
図５は鉄線または鉄板をコイル状に巻き固定子ヨークのコアとして使用した図である。
【００１７】
図６は図５ A-A間の固定子ヨークの断面図である。
【産業上の利用可能性】
【００１８】
ハイブリッド自動車、電気自動車、大型発電機、風力発電機、水力発電機に使用することが出来る。
【符号の説明】
【００１９】
１  固定子ヨーク  
２  コイル  
３  支柱  
４  磁石  
５  電磁鋼板  
６  シャフト  
７  ベアリング  
８  支柱  
９  プーリー  
１０  冷却物質循環用穴  
１１  コアコイル鉄線または鉄板
１２  モータ電圧入力部
１３、１４、１５、１６、１７、１８、１９、２０、２１、２２、２３、２４、２５、２６、２７、２８  モータ動作時Ｓ極またはＮ極発生位置
３７、３９、４１、４３  左巻き電磁コイル
３８、４０、４２、４４  右巻き電磁コイル
２９、３１、３３、３５  磁石Ｎ極またはＳ極
３０、３２、３４、３６  磁石Ｓ極またはＮ極
【図１】
2017005806.tif 000003
【図２】
2017005806.tif 000004
【図３】
2017005806.tif 000005
【図４】
2017005806.tif 000006
【図５】
2017005806.tif 000007
【図６】
2017005806.tif 000008
(57)【要約】【課題】寝具まくらに猫の喉鳴らし音再生機器用ポケットを設けて、猫の喉鳴らし音再生機器を装着した寝具を提供する。【解決手段】寝具まくら（１）上部以外に猫の喉鳴らし音再生機器装着用ポケット（２）を付け猫の喉鳴らし音再生機器を装着して、その寝具まくら（１）に猫の喉鳴らし音再生機器を装着する事を特徴とする。【選択図】図１
2017170089.tif 000002
【特許請求の範囲】
【請求項１】
寝具まくら（１）の上部以外の部分に猫の喉鳴らし音再生機器装着用ポケット（２）を設けて猫の喉鳴らし音再生機器を装着した寝具。
【発明の詳細な説明】
【技術分野】
【０００１】  この発明は、猫の鳴く喉鳴らし音再生機器を装着できる寝具に関するものである。
【背景技術】
【０００２】  従来、猫の喉鳴らし音は、その猫の喉鳴らし音を聞きたい場合は、猫自体に耳を当てたりして直接聞いたりするのが現状でした。その際は、直接猫のお腹より猫の喉鳴らし音を聞けても猫自体が生きているので静止していない事や猫の喉鳴らし時間が短く長い時間聞くことが難しかった。また人や動物が癒されたい時や体調が悪い時に寝具を使用する中で寝ながら猫の喉鳴らし音を耳元で聞くことが困難であった。
【発明の開示】
【発明が解決しようとする課題】
【０００３】この発明は、いつも喉鳴らしをするとは限らない猫や、寝具を使う際に猫の喉鳴らし音を自由に長時間聞けて癒されることを解決した猫の喉鳴らし音再生機器と寝具を一体の商品にしようと考えたものである。
【課題を解決するための手段】
【０００４】寝具まくら（１）に猫の喉鳴らし音再生機器ポケット（２）を設けて、寝具内部に猫の喉鳴らし音再生機器を装着した寝具である。
本発明は、このような構造の寝具である。
【発明の効果】
【０００５】本発明はこのような構造で、これを使用するときは通常の寝具を使う方法で使用し、猫の喉鳴らし音再生機器を猫の喉鳴らし音再生機器ポケット（２）に挿入して猫の喉鳴らし音を再生し使用する。
【発明を実施するための最良の形態】
【０００６】以下、本発明の実施例について説明する。
寝具まくら（１）に猫の喉らなし音再生機器を装着する際は、寝具まくら（１）の上部以外の部分に猫の喉鳴らし音再生機器装着用ポケット（２）を設けて猫の喉鳴らし音再生機器を装着する。
猫の喉鳴らし音再生器装着用ポケット（２）の位置は、寝具まくら上部以外なら下部でも側面でもよい。
猫の喉鳴らし音再生機器装着用ポケット（２）に装着した猫の喉鳴らし音再生機器から寝具まくら（１）内部に猫の喉鳴らし音が再生できるようにすればよい。
本発明は、以上のような構造でこれを使用する時は、猫の喉鳴らし音を聞きながら寝具を使用する際は、本発明を設置して猫の喉鳴らし音を聞きながら寝具を使用すればいい。
なお本発明の寝具まくら（１）の形状は、四角形形状だけでなく丸形状、ハート形状、猫型形状でも寝やすい形であればよい。寝具まくら（１）は、動物用寝具ベッドとしても使用してもよい。
【図面の簡単な説明】
【０００７】
【図１】本発明の斜視図である。
【図２】本発明の側面図である。
【図３】本発明の図１の下部正面図である。
【図４】他の形態の正面図である。
【図５】図４の下部正面図である。
【符号の説明】
【０００８】１  寝具まくら
２  猫の喉鳴らし音再生機器着用ポケット
【図１】
2017170089.tif 000003
【図２】
2017170089.tif 000004
【図３】
2017170089.tif 000005
【図４】
2017170089.tif 000006
【図５】
2017170089.tif 000007
(57)【要約】【課題】  朝、目が覚めて起きようとすると腰が痛くて起き上がれない、それを軽減するためエアーマットを提供する。【解決手段】  就寝時（仰むけ）に寝た時、お尻が出ているため寝具と腰椎の所に隙間ができます、その隙間にエアーマットを敷いて隙間をエアーマットで図２のように下支えする。【選択図】図２
2017170096.tif 000002
【特許請求の範囲】
【請求項１】
就寝時に使用するものであるため睡眠の邪魔にならない様に、ケガをしない様、何も付けない空気袋にしました。
素材には柔らかく伸び縮みの余りしないものゴム、ビニール等合成樹脂等々とする。
ズレ防止のためにこまかい突起が無数についたシートをエアーマット裏側（寝具と接着面）に張り付ける。
【発明の詳細な説明】
【技術分野】
【０００１】  本発明は就寝時（仰むけ）に腰椎にかかる体圧が腰痛の原因の１つであるように思います。
そこで腰痛軽減エアーマットで下支えすることで腰痛が軽減される。
【背景技術】
【０００２】就寝時に腰椎を保護するものが無かった。
【先行技術文献】
【０００３】
【発明の概要】
【０００４】  朝、目が覚めて起きようとすると腰が痛くて起き上がるのに大変苦労しました。
本発明は課題を軽減するために考案したものである。
【課題を解決するための手段】
【０００５】  就寝時（仰むけ）に人間の体はお尻が出ているため寝具と腰椎の所に隙間ができます。
その隙間に本発明のエアーマットを図２のように敷く、エアーマットには少量の空気を入れてありますので寝具と体が密着する所の空気は隙間のあるところに移動して隙間の形になり腰椎にかかる体圧を下支えして腰椎を守ります、寝返りをして横向き時には図３のように接地面が少なくなりエアーマットの空気は両わきに分かれて違和感なく眠ることができます。
就寝時に使用するものなのでズレ防止にエアーマットの裏側（寝具と接地面）にこまかい突起が無数についたシートを張り付ける。
【発明の効果】
【０００６】  就寝時に使用するものなので出来るだけ何もつけずに睡眠の邪魔にならない様にしたものであるが、エアーマットがズレることがあるので図１のように裏側（寝具と接着面）にこまかい突起が無数についたシートを張り付ける。
【図面の簡単な説明】
【０００７】
【図１】本発明の平面図である。
【図２】本発明の使用図の説明図である。
【図３】本発明の使用図の説明図である。
【符号の説明】
【０００８】１．エアーマット本体表示（たて１６ｃｍ〜２０ｃｍ、よこ３０ｃｍ〜３６ｃｍの袋）
大中小の段階をつけて体の大きさに合わせる
２．エアーマット本体裏側
３．空気出入口（逆流防止弁付、収納式）
４．こまかい突起が無数についたシート
５．人の体
６．エアーマット
７．人の体の断面
８．エアーマット
【図１】
2017170096.tif 000003
【図２】
2017170096.tif 000004
【図３】
2017170096.tif 000005
(57)【要約】【課題】本発明は、どんぶりに熱湯が満たされても、そのどんぶりを容易にもつことができるのである。そして、そのどんぶりの円形を維持し、ひずみをなくすことができる構造にした発明である。【解決手段】本発明は、側面下部水平部分にハマが設置されることにより、どんぶり側面上部の外壁面が、摂氏約８０℃以上になることに対し、ハマの先端部分は、摂氏約５０℃ぐらいまでしか加熱されない。よって、とても持ち易くなるのである。そして、その側面に有するハマが、どんぶりの円形のひずみを解消した。【選択図】図１
2017170092.tif 000002
【特許請求の範囲】
【請求項１】
どんぶり側面下部水平部分にハマを１〜数か所つけたものを間隔を置いて特徴とし、その材質は、陶磁器製もしくは、ガラス製、シリコン製、プラスチック製、金属製、発泡スチロール製を特徴とするどんぶり。
【請求項２】
底面のハマから、側面下部水平部分にかけての傾斜面が、ひずみ止めであることを特徴とする請求項１に記載のどんぶり。
【発明の詳細な説明】
【技術分野】
【０００１】本発明は、陶磁器製もしくは、ガラス製、シリコン製、プラスティック製、金属製、発泡スチロール製のどんぶりについてのものである。【０００２】本発明は、熱湯が満ちたどんぶりを、手で持ち上げても、どんぶり側面下部水平部分にハマを１〜数か所作り、ハマの先端部分に熱を伝わりにくくし、どんぶりに接する指先が、そのハマにより、熱くなりにくく指先にフィットし持ち易く、同時に、そのハマがどんぶりの重心を整え、円形のひずみをも無くする発明である。
【背景技術】
【０００３】従来のどんぶりには、側面下部水平面にはハマはついていなかった。特開平９−２０１２６６突起付どんぶりでは、斜めに傾斜したどんぶり側面に突起物をつけただけのものである。これでは、御汁が満たされた重い状態で、底面のハマにしっかりと手を添え指先に力を入れなければ、片手でどんぶりは持ち上げることができない。つまり、手の小さな子供や女性には、持ち上げる際のバランスに無理が生じるのである。【０００４】従来、どんぶりには、陶磁器製しかなかったが、今回のどんぶりには、陶磁器製、金属製、ガラス製、シリコン製、プラスティック製、発泡スチロール製が使用できるという発明でもある。【０００５】どんぶりの内部に熱湯が満たされた際、特開平９−２０１２６６突起付どんぶりでは、重心がとりにくく、しっかり握り込むことができない。よって、どうしても、人指し指が側面の熱い平面部分にあたってしまうのである。しかしながら、側面下部水平部分にハマが設置されることにより、どんぶり側面上部の外壁部分が、摂氏約８０℃以上になることに対し、側面下部水平部分に形成されたハマの先端部分は、摂氏約５０度ぐらいまでしか加熱されないので、あまり熱さを感じず、かつ、深く、指が水平部分に入り込むことにより、片手で持ち上げるバランス的にも、とても持ち易くなるのである。そして、その側面下部の水平部分に有するハマが、どんぶりの円形のひずみを解消した。
【先行技術文献】
【特許文献】
【０００６】
【特許文献１】特開平９−２０１２６６
【発明の概要】
【発明が解決しようとする課題】
【０００７】従来のどんぶりは、麺と御汁を入れて、冷めるのを待って、持ち上げていた。
熱湯が内部に満ちている際、熱くても持ち上げることができなかった。
このどんぶりは、このような状況でも、設置されたハマの先端が、さほど熱くない状況で、安定したバランスで、どんぶりを持ち上げることが可能である。【０００８】従来のどんぶりは、ひずみが生じ易かったため、無水鍋には使用できなかった。
無水鍋は、下部の鍋と蓋との間で、隙間ができてはいけない。
【課題を解決するための手段】
【０００９】この発明により、どんぶりの側面下部水平面にハマをつける。【００１０】この発明により、炊事中でも、どんぶりが、持ち易くなり、手を滑らして、破損することが少なくなった。
【発明の効果】
【００１１】この発明により、手の小さな子供や女性が、どんぶりを持ち易くなり、どんぶりの壁面が熱くなっていても、設置された側面下部の水平面のハマの部分に指を当てることで、バランスよく安定して持ち易くなった。そのことにより、麺類を食する際には、冷めてからでは、美味しくなくなることがある。この発明により、美味しいうちに食事が楽しめるのである。【００１２】高齢者や障害者の食器としても、この発明は、従来よりも持ち易い食器として、介護食器として活用できる。
【図面の簡単な説明】
【００１３】
【図１】どんぶりの側面下部水平部分にハマを設置した断面図である。
【図２】どんぶりの底面図である。
【００１４】  （ａ）  は、側面下部水平部分に設置された外側のハマである。
（ｂ）  は、側面下部水平部分に設置された内側のハマである。
（ｃ）  は、どんぶりの底面ハマから水平部分にかけての傾斜している側面である。
（ｄ）  は、どんぶり底面のハマである。（高台）
【発明を実施するための形態】
【００１５】図１について説明します。
図１の方式では、（ａ）の側面外側ハマに指の第一関節がくいこむ。（ｂ）の側面内側ハマに指の第一関節の先の中腹部分があたる。ハマの方向は、どんぶりの側面下部水平部分から、垂直に下方に突き出している。ハマの幅と高さは、どんぶりの形状と容量によって異なるが、３ｍｍ〜１０ｍｍ程度である。
【００１６】図１（ｃ）の傾斜部分は、底面のハマの外側から水平面に傾斜する部分で、ハマで、側面が重たくなった部分のひずみを防ぐためのものである。
【００１７】図２は、どんぶりの底面下部から見た図である。
（ａ）  と（ｂ）のハマの太さと位置は、どんぶりの形状と容量によって異なる。
尚、ハマの高さは、指が引っかかりやすい程度である。
【実施例】
【００１８】麺類を食する時、熱湯が、どんぶりに満たされる。そして、側面が、熱く加熱しているため、通常親指がどんぶり上部口元に添えられ、中指は、底面ハマに添えて、持ち上げられる。その際、指の負担が大きい。また、（ｃ）に急な傾斜を有するどんぶりの場合、手の小さな子供や女性でも（ａ）と（ｂ）に人差し指、中指、薬指を添えて、どんぶりを持ち上げることができる。
【産業上の利用可能性】
【００１９】近年、日本製のどんぶりは、ＵＳＡで、日本食のラーメンブームに乗り、爆発的人気であり、日本では、生産量が追い付かない状態である。しかしながら、従来のどんぶりは、器が熱くなると持ちにくかった。この発明は、女性や子供や高齢者や障害者に持ち易さをアピールできるものである。また、側面下部水平部分にハマを有することで、どんぶりの円形を維持し、ひずみ難いことから、その特質を生かして、平たい蓋をつけ、電子レンジでの無水鍋にも使用できる。無水鍋の特質は、下部の鍋と蓋に隙間ができないことが必要不可欠であった。
【符号の説明】
【００２０】（ａ）は、側面下部水平部分に設置された外側ハマである。
（ｂ）は、側面下部水平部分に設置された内側のハマである。
（ｃ）は、どんぶりの底面ハマから水平部分にかけての傾斜している側面である。
（ｄ）は、どんぶり底面のハマである。
【図１】
2017170092.tif 000003
【図２】
2017170092.tif 000004
(57)【要約】【課題】この発明は、貯金箱に硬貨を入れ、貯金するたびにスイッチが作動して、あらかじめ録音登録してある、なりすまし詐欺がよく使うだましの事例が音声で聞くことができる。さらに貯金箱の標語板に音声と同じ内容が文字で標示することで、常に音声を聞いたり文字を見たりすることで、特に高齢者がだまされない心得を身につけることにより、なりすまし詐欺防止を提供する。【解決手段】貯金箱本体（１）の上部に硬貨投入口（２）を設け、貯金箱本体（１）の前面に開閉板（３）を設け、この表面に標語板（４）を設け、硬貨収納庫（５）の内部に録音スイッチ（６）と録音発声装置（７）を設けたことを特徴とする。【選択図】図１
2017170091.tif 000002
【特許請求の範囲】
【請求項１】
貯金箱本体（１）の上部に硬貨投入口（２）を設け、貯金箱本体（１）の前面に開閉板（３）を設け、この表面に標語板（４）を設け、硬貨収納庫（５）を設け、硬貨収納庫（５）の内部に録音スイッチ（６）と録音発声装置（７）を設けたことを特徴とした、なりすまし詐欺防止貯金箱。
【発明の詳細な説明】
【技術分野】
【０００１】  本発明は、貯金箱内部に録音発声装置を設け、貯金するたびにスイッチが入り、あらかじめ録音登録した、なりすまし詐欺がよく使うだましの言葉を音声で知らせ、更にだまされない注意用語を標示した標語板を設け、だまされない心得を習得する、なりすまし詐欺防止貯金箱に関するものである。
【背景技術】
【０００２】  従来、防犯目的の電話装置などがあったが、これは犯罪者の言葉を録音したりするもので、未然に詐欺防止の役に立っていなかった。
【先行技術文献】
【０００３】
【特許文献１】特開２００７−１８３３９９
【発明の概要】
【発明が解決しようとする課題】
【０００４】  これは、つぎのような欠点があった。
本発明は、以上のような欠点をなくすためになされたものである。
【課題を解決するための手段】
【０００５】貯金箱本体（１）の上部に硬貨投入口（２）を設け、貯金箱本体（１）の前面に開閉板（３）を設け、この表面に標語板（４）を設け、硬貨収納庫（５）を設け、硬貨収納庫（５）の内部に録音スイッチ（６）と録音発声装置（７）を設ける。本発明は、以上の構成よりなる、なりすまし防止貯金箱である。
【発明の効果】
【０００６】本発明は、貯金箱に硬貨を投入するたびにスイッチが入り、あらかじめ録音発声装置に登録されている犯罪者がよく使う、だましのテクニックの事例を音声で繰り返し聞くことにより、だまされない心得を高めることができる。
更に貯金箱の全面に音声と同じ内容の標語が見やすく表示することにより、特に高齢者に突然の詐欺の電話があっても、本発明の貯金箱で学習することで、なりすまし詐欺やおれおれ詐欺の未然防止となる。
【図面の簡単な説明】
【０００７】
【図１】本発明の斜視図である。
【図２】本発明の内部斜視図である。
【発明を実施するための形態】
【０００８】以下、本発明の実施するための形態について説明する
貯金箱本体（１）の上部に硬貨投入口（２）を設け、貯金箱本体（１）の前面に開閉板（３）を設け、この表面に標語板（４）を設け、硬貨収納庫（５）を設け、硬貨収納庫（５）の内部に録音スイッチ（６）と録音発声装置（７）を設ける。
本発明は、以上のような構造である。
本発明を使用するときは、貯金箱本体（１）の硬貨投入口（２）に５円硬貨から５００円までのいずれかの硬貨で貯金するたびに、、録音スイッチ（６）が作動し録音発声装置（７）から、あらかじめ音声登録した、なりすまし詐欺やおれおれ詐欺の犯罪者がよく使うだましの言葉と、だまされないためのアドバイスが音声で聞ける。さらに開閉板（３）の表面に標語板（４）に音声と同じ内容を文字で標示することで、犯罪者から突然電話があっても、だまされない心得が学習できるため、なりすまし詐欺の未然防止となる。
【符号の説明】
【０００９】      １  貯金箱本体
２  硬貨投入口
３  開閉板
４  標語板
５  硬貨収納庫
６  録音スイッチ
７  録音発声装置
【図１】
2017170091.tif 000003
【図２】
2017170091.tif 000004
(57)【要約】      （修正有）【課題】ベットの両脇、または、後部（足元）に設置し、掛け布団のずり落ちを防ぐ器具で、柔らかく、かつ、コシのあるＥＶＡ樹脂か、シリコン樹脂で作った器具を提供する。【解決手段】略長方形状の台座１に切り込み部２を設け、凸部状のズレ防止板３に差し込み部４を設け、切り込み部２に差し込み部４を組み合わせた掛け布団ずり落ち防止具を構成する。【選択図】図１
2017170094.tif 000002
【特許請求の範囲】
【請求項１】
略長方形状の台座（１）に切り込み部（２）を設け、凸部状のズレ防止板（３）に差し込み部（４）を設け、切り込み部（２）に差し込み部（４）を組み合わせた掛け布団ずり落ち防止具（５）である。
【発明の詳細な説明】
【技術分野】
【０００１】  本発明は、ベットの側部、または、後部（足側）に設置し、ベットから掛け布団のずり落ちを防ぐ器具で、ＥＶＡ樹脂かシリコン樹脂のような柔らかく、しかもコシがあり、しっかり立つ素材の安全性の高い布団ずり落ち防止具に関するものである。
【背景技術】
【０００２】  従来、洗濯バサミ、クリップなど２個を平ゴム、ベルトなどでつないだ器具で敷き布団の下を通し掛け布団の左右に挟む器具（特許文献１参照）。
また、高摩擦材を用いて掛け布団との間に生じる強い摩擦力を利用し、掛け布団の動きを抑制する構造を用いることで、器具の高さを抑えても寝床上から掛け布団のずり落ちを防止可能とするがあった（特許文献２参照）。
【先行技術文献】
【特許文献】
【０００３】
【特許文献１】  特開２０１３−２５２４０５号公報
【特許文献２】  特開２０１２−９０９３２号公報
【発明の概要】
【発明が解決しようとする課題】
【０００４】  そのため、次のような問題点があった。
特許文献１は、掛け布団を洗濯バサミ、クリップ、ピンチ等で挟み、平ゴム、ベルト等でつないだ器具で敷き布団の下を通し掛け布団の左右に挟んだ布団のずり落ちを防ぐ方法だが、クリップなどで挟む力より寝返りの力が大きいと外れてしまう。
また、クリップなど、金具のものは床に落ちてうっかり踏んだりするとものすごく痛いし怪我の原因になり危険であった。
また、床に落ちているのを知らずに人が踏んだときも、ものすごく痛く、怪我の原因になりかねない。
特許文献２は、従来のものは、素材が洗濯挟み、クリップ、ピンチなど、金具のものか、パイプ状のものが多かった。
ベットのシーツ交換の際、防止具が防止具の重さで足の上に落ちたときなど、痛いし、怪我の原因になり危険であった。
【課題を解決するための手段】
【０００５】  ベットの両脇、または、ベットの足側のベットの床とマットレスの間に差し込みベットの掛け布団のずり落ちを防止する布団ずり落ち防止具。【０００６】  前記布団ずり落ち防止具の素材が、シリコン樹脂かＥＶＡ樹脂のような柔らかく、しかもコシのある素材を特徴とする請求項１の掛け布団ずり落ち防止具。【０００７】  前記、防止具の素材が軽く柔らかく、ベットのシーツ交換のトキに床に落ちて足にあたっても、踏んでも痛くなく子供が触っても安全で安心してベットの設置できる請求項１の掛け布団ずり落ち防止具。
【発明の効果】
【０００８】  ベットの両脇、または、後部（足元）のベット床とマットレスの間に差し込み、ベットの掛け布団のずり落ちを防止する。
（イ）ベット（６）の床（８）とマットレス（７）の間に掛け布団ずり落ち防止具（５）    差し込み設置し、布団のずり落ちを防止する。
（ロ）ベット（６）の両脇、または、後部（足元）のベットの床（８）とマットレス（７    ）の間に差し込み、ベットの掛け布団のずり落ちを防止する。
（ハ）布団のずり落ち防止具の素材をＥＶＡ樹脂かシリコン樹脂を使用することにより、    軽く柔らかいので、防止具が床に落ちてまちがって踏んだりしても痛くなく安全であ    る。
（ニ）布団のずり落ち防止具の素材をＥＶＡ樹脂かシリコン樹脂を使用することにより、    ベットのシーツ交換の際、防止具が落ちても軽くて軟らかいので痛くなく安全であり    、安心して使用できる。
（ホ）従来あるものは、金具やパイプ状のもので、落としたり踏んだりすると怪我の原因    となっていたが、ＥＶＡ樹脂、または、シリコン樹脂を素材とする安全、かつ、安心    な防止具である。
【図面の簡単な説明】
【０００９】
【図１】  本発明の分解斜視図である。
【図２】  本発明の使用状態を示した斜視図である。
【発明を実施するための形態】
【００１０】  以下、本発明を実施するための形態について説明する。
略長方形状の台座（１）に切り込み部（２）を設け、凸部状のズレ防止板（３）に差し込み部（４）を設け、切り込み部（２）に差し込み部（４）を組み合わせた掛け布団ずり落ち防止具（５）である。
切り込み部（２）に差し込み部（４）を掛け布団ずり落ち防止具（５）のストッパーで止まるまで差し込みのベットの床と（７）のマットレスの間に差し込み設置し、布団のずり落ちを防止する。
本発明は以上の構成よりなっている。
これを使用するときは、ベットの両脇、または、後部（足元）のベット床とマットレスの間に差し込み、ベットの掛け布団のずり落ちを防止する。
前記布団ずり落ち防止具の素材が、ＥＶＡ樹脂かシリコン樹脂のような柔らかくしかもコシのある素材を特徴とする掛け布団ずりち防止具である。
前記防止具の素材が柔らかく、ベットのシーツ交換時に床に落ちて足にあたっても、痛くなく、床に落ちてうっかり踏んづけても痛くなく、子供が触っても安全で安心してベットに設置できる掛け布団ずり落ち防止具である。
【符号の説明】
【００１１】    １  台座
２  切り込み部
３  凸部状のズレ防止板
４  差し込み部
５  掛け布団ずり落ち防止具
６  ベット
７  マットレス
８  ベットの床
【図１】
2017170094.tif 000003
【図２】
2017170094.tif 000004
(57)【要約】      （修正有）【課題】大吉日を選択する場合有利なカレンダーを提供する。【解決手段】人々は重要な仕事をする場合縁起を重視して大安、友引、先勝等々検討し仕事に合った大吉日を選択するのが常である。大吉日を選択する場合通常従来の七曜カレンダーでは色々と効率が悪く不利な事が多い。大吉日を選択する場合６曜を重視して作成された六曜カレンダーを用いると七曜構成の通常カレンダーより色々の点で非常に有利である。【選択図】図１
2017170873.tif 000002
【特許請求の範囲】
【請求項１】
六曜星歴を七曜星歴以上に非常に重要視して構成した六曜星カレンダー
【発明の詳細な説明】
【発明の詳細な説明】
【技術分野】カレンダー歴の表示方法に係るものである
【背景技術】従来のカレンダーは西暦に６曜を付与していた
【発明が解決しょうとする課題】
６曜を主とする行事等を瞬時に選択、適用する事
【発明の開示】
６曜を横軸又は縦軸に記載しそれに合して西暦を付与したカレンダー
【課題を解決しょうとする手段】
太陰暦を主とし太陽暦を従とする
【発明の効果】
重要な仕事を計画する場合色々な点で非常に効率が良い
【発明を実施する最良の形態】
６曜を主とし六曜に西暦を付与した表を製作しカレンダーとする
【実施例】７曜カレンダーの７曜の所を６曜にしそれぞれに西暦を付与する
【産業上の利用の可能性】
６曜に伴う慣習、行事等の迅速、適切な把握、が出来る
【図面の簡単な説明】
【図１】符号（１）はカレンダーの６曜分別線、符号（２）はカレンダー最上段に設けた６曜記入の態様、符号（３）は七曜表示の符号、符号（４）は通常の日付け記入の態様、符号（５）はメモ記入欄
【図１】
2017170873.tif 000003
(57)【要約】【課題】残材を切断して複数の切断片にする残材処理装置において、切断機内に滞留しやすい最後の切断片を切断機内から確実に払い出すことができる残材処理装置の残材片払い出し方法を提供する。【解決手段】残材を切断機で切断して複数の切断片にする残材処理装置において、複数の残材片のうちの最後の残材片を払い出す際に、その最後の残材片を一旦後退させ、最後の残材片を加速して払い出すことを特徴とする残材処理装置の残材片払い出し方法。【選択図】図１
2017164845.tif 000002
【特許請求の範囲】
【請求項１】
残材を切断機で切断して複数の切断片にする残材処理装置において、複数の残材片のうちの最後の残材片を払い出す際に、その最後の残材片を一旦後退させ、最後の残材片を加速して払い出すことを特徴とする残材処理装置の残材片払い出し方法。
【請求項２】
最後の残材片を一旦後退させ、切断機の入側に設置されているピンチロールで最後の残材片を加速して払い出すことを特徴とする請求項１に記載の残材処理装置の残材片払い出し方法。
【請求項３】
残材がコイルエンドであることを特徴とする請求項１または２に記載の残材処理装置の残材片払い出し方法。
【発明の詳細な説明】
【技術分野】
【０００１】
本発明は、残材を切断機で切断して複数の切断片にする残材処理装置において、残材片を確実に払い出すための残材片払い出し方法に関するものである。
【背景技術】
【０００２】
残材を残材処理装置によって複数の切断片に切断してリサイクルすることが行われている。
【０００３】
例えば、コイルエンド（スリーブに巻き付けられた金属帯コイルから金属帯コイルを供給し終わった後にスリーブに残った金属帯コイル端部）は、残材処理装置において、シャーで所定の長さの複数の金属板（残材片）に切断されて払い出され、スクラップバックに投入されることが行われている（例えば、特許文献１）。
【先行技術文献】
【特許文献】
【０００４】
【特許文献１】特開２０１１−２３０１５５号公報
【発明の概要】
【発明が解決しようとする課題】
【０００５】
しかしながら、従来、残材処理装置では、複数の残材片のうちの最後の残材片を払い出す際に、最後の残材片は払い出し方向に向かう勢いが弱いことから、切断機内に滞留してしまい、切断機内に滞留した最後の残材片を切断機内から除去する作業が必要になることがあった。
【０００６】
本発明は、上記のような事情に鑑みてなされたものであり、残材を切断して複数の切断片にする残材処理装置において、切断機内に滞留しやすい最後の切断片を切断機内から確実に払い出すことができる残材処理装置の残材片払い出し方法を提供することを目的とするものである。
【課題を解決するための手段】
【０００７】
上記課題を解決するために、本発明は以下の特徴を有している。
【０００８】
［１］残材を切断機で切断して複数の切断片にする残材処理装置において、複数の残材片のうちの最後の残材片を払い出す際に、その最後の残材片を一旦後退させ、最後の残材片を加速して払い出すことを特徴とする残材処理装置の残材片払い出し方法。
【０００９】
［２］最後の残材片を一旦後退させ、切断機の入側に設置されているピンチロールで最後の残材片を加速して払い出すことを特徴とする前記［１］に記載の残材処理装置の残材片払い出し方法。
【００１０】
［３］残材がコイルエンドであることを特徴とする前記［１］または［２］に記載の残材処理装置の残材片払い出し方法。
【発明の効果】
【００１１】
本発明においては、残材を切断して複数の切断片にする残材処理装置において、切断機内に滞留しやすい最後の切断片を切断機内から確実に払い出すことができる。その結果、切断機内に滞留した最後の切断片を除去する作業が必要なくなる。
【図面の簡単な説明】
【００１２】
【図１】本発明の一実施形態における残材処理装置を示す図である。
【図２】本発明の一実施形態において、最後に残材片を払い出す手順を示す図である。
【図３】本発明の一実施形態において、最後に残材片を払い出す手順を示す図である。
【図４】本発明の一実施形態において、最後に残材片を払い出す手順を示す図である。
【図５】本発明の一実施形態において、最後に残材片を払い出す手順を示す図である。
【発明を実施するための形態】
【００１３】
本発明の一実施形態を図面に基づいて説明する。なお、ここでは、残材がコイルエンドである場合を例にして述べる。
【００１４】
図１は、本発明の一実施形態における残材処理装置を示す図である。
【００１５】
図１に示すように、この実施形態における残材処理装置１は、アンコイラー２と、入側ベルトコンベア３と、入側ピンチロール４と、入側ホイールコンベア５と、シャー６と、出側ホイールコンベア７と、スクラップバック８とを備えている。これによって、残材処理装置１に搬送されてきたコイルエンド１０は、アンコイラー２で巻き戻され、入側ベルトコンベア３、入側ピンチロール４、入側ホイールコンベア５を経由して、シャー６で複数の残材片１１に切断されて払い出され、出側ホイールコンベア７を経由して、スクラップバック８に投入される。
【００１６】
その上で、この実施形態においては、複数の残材片１１の内の最後の残材片１１ｚを払い出す際に、以下のような手順で払い出すようにしている。
【００１７】
まず、図２に示すように、最後の残材片１１ｚをシャー６内から一旦後退させ、入側ピンチロール４を逆回転させて、最後の残材片１１ｚの先端が入側ピンチロール４の位置になるようにする。
【００１８】
次に、図３に示すように、入側ピンチロール４を正回転させて、入側ピンチロール４によって最後の残材片１１ｚを払い出し方向に向かって加速する。なお、最後の残材片１１ｚを加速する際の入側ピンチロール４の回転速度については、予め実験等によって定めておく。
【００１９】
これによって、図４に示すように、入側ピンチロールで加速された最後の残材片１１ｚは、勢いよく払い出し方向に向かう。
【００２０】
そして、図５に示すように、加速されて勢いよく払い出し方向に向かった最後の残材片１１ｚは、シャー６を通過した後、出側ホイールコンベア７を経由して、スクラップバック８に投入される。
【００２１】
このようにして、この実施形態においては、コイルエンド１０を切断して複数の切断片１１にする残材処理装置１において、シャー６内に滞留しやすい最後の切断片１１ｚをシャー６内から確実に払い出すことができる。その結果、シャー６内に滞留した最後の切断片１１ｚを除去する作業が必要なくなる。
【００２２】
なお、この実施形態では、残材がコイルエンドである場合を例にして述べたが、本発明は、他の残材に対しても適用することが可能である。
【符号の説明】
【００２３】
１  残材処理装置
２  アンコイラー
３  入側ベルトコンベア
４  入側ピンチロール
５  入側ホイールコンベア
６  シャー
７  出側ホイールコンベア
８  スクラップバック
１０  コイルエンド
１１  残材片
１１ｚ  最後の残材片
【図１】
2017164845.tif 000003
【図２】
2017164845.tif 000004
【図３】
2017164845.tif 000005
【図４】
2017164845.tif 000006
【図５】
2017164845.tif 000007